(57)【特許請求の範囲】
【請求項１】
ベルト１の一端部に固定した本体２と、他端部に設け本体２に挿入係合するタングプレート３よりなり、本体２には、バネ５により常時外方向へ回動力が附勢され、タングプレート３との係合突起61を有するロック部材６を一対設け、該ロック部材６の上部に、進入してくるタングプレート３を押し出す方向のバネ７を配した当接材８と、該当接材８に重合したストッパー９を軸23で摺動自在に設けると共に、ロック部材６の係合突起61の先端部には、タングプレート３に設けた係合口33へ嵌入係合する重合片部62を外方向に設け、本体２とタングプレート３の係合を解く際には、タングプレート３を係合状態よりもさらに押し込み、重合片部62との係合を解いた上で、ケース10外両側へ突出したロック部材６の延長部が形成する両方の操作片63を外方向より内方向へ回動し係合突起61との係合を解きタングプレート３の解放を行う構造の安全帯用バックルにおいて、タングプレート３の係合口33係合点34をロック部材６の回動中心点よりタングプレート挿入口方向の平行線上の同一線上としたことを特徴とする安全帯用バックル。
【発明の詳細な説明】
【０００１】
【発明の属する技術分野】
本願は、高所作業者が墜落防止のために腰部に装着する安全帯のバックルに関するものであり、特に連結式のバックルに関するものである。
【０００２】
【従来の技術】
安全帯においても装着性の問題より、自動車のシートベルトバックルと同様なワンタッチ連結式のバックルが普及しつつある。
自動車のバックルの場合には、衝突時の高衝撃荷重に耐えてシートの人体を確実に固定でき、また、非常時には迅速に解除が出来ることが要求される。
対して、安全帯の場合には、墜落時の高衝撃荷重に耐え得ることはもちろんのこと、作業時にバックルと何等かの接触があっても連結が解除されない機構、つまり安全装置が必要となる。
安全装置が必要な分、その解除はそんなに迅速さを求められないものであるが、衝撃荷重に対する高耐力は高度のものが要求されるものである。
そのような状況の中で、高所作業用安全帯に用いられる連結式のバックルとして、本出願人が特許第２９９１６４８号によって開示したものがある。
これは、初期の目的を達成し得たものであり、ワンタッチバックルと言い簡単な操作によって連結が可能なものであり、この構造を用いたものを商品化している。
【０００３】
【発明が解決しようとする課題】
前記した従来のワンタッチバックルは、ソケット部とタング部の連結で成り、ソケット内のタング係合構造に種々のものがあるが、タングは大部分のものがプレートの中央に方形の係合口を設けたものであり、ソケット内の突起と係合口の係合によって連結状態を維持するものである。
このような連結状態に高負荷をかけると、先ずプレートの係合口両側部より亀裂が入りやがて折損する。
これは自動車のバックルのように一定の姿勢でいる人体を固定するものではなく、安全帯の連結バックルは作業者の腹部に位置し、作業者が屈むとバックルが腹部に食い込むため、少しでも小型にする必要があるためで、可能な限り小型軽量とする必要があり、タングも小さいためである。
また、実際の墜落阻止時には、人体の落下を受け止めた際、連結状態が折り曲げられるような方向に負荷が加わること、つまりタングプレートを折り曲げることも予測され、より高強度で安全性の高いバックルの開発が望まれていた。
【０００４】
【課題を解決するための手段】
よって本願では、タングプレートの先端部をコ字状に折曲し、互いに対向する側壁に小さな係合口（ロック部材の板厚程度の係合口）を設け、本体には、その係合口に対応するように、ロック部材を一対対象に設け、二個所の係合部により、捻れに強く、高強度が得られるワンタッチバックルによって課題の解決を図るものである。
【０００５】
【実施例】
本願の実施例を詳記すると、ベルト１の一端部に固定した本体２と、他端部に設け本体２に挿入係合するタングプレート３よりなり、本体２には、高張力鋼板より打抜き加工し、基端部に設けたベルト挿通孔21よりは細幅となり、先端部は両側より内側に向けコ字状に折り曲げ、中央部に所定間隔を開けて固定軸22を二本立設し、該固定軸22にバネ５により常時外方向へ回動力が附勢され、係合突起61を有するロック部材６を対象に一対設け、該ロック部材６の上部には、進入してくるタングプレート３の案内板25と、押し出す方向のバネ７を配した当接材８と、該当接材８に重合したストッパー９を軸23で摺動自在に設けると共に、ロック部材６の係合突起61の先端部には、タングプレート３に設けた係合口33の係合点34へ嵌入係合する重合片部62を外方向に設け、本体２とタングプレート３の係合を解く際には、タングプレート３を係合状態よりもさらに押し込み、重合片部62との係合を解いた上で、ケース10外両側へ突出したロック部材６の延長部が形成する両方の操作片63を外方向より内方向へ回動し係合突起61との係合を解きタングプレート３の解放を行う構造を有している。
【０００６】
また、本願の特徴とするところは、タングプレート３の係合口33係合点34は、ロック部材６の回動中心点よりタングプレート挿入口方向の平行線上の同一線上に配置しているので、引張時にロック部材６にモーメントが加わらないため、軸心がずれているものに比べて高荷重の引張りに対してロック部材６が変形することがなく、高荷重に耐える構造を有している。
【０００７】
タングプレート３は、同じく高張力鋼板より打抜き加工し、基端部に設けたベルト挿通孔31よりは細幅となり、先端部は両側より内側に向けコ字状に折り曲げ、対向する側壁32を設け、該側壁32，32に方形の係合口33を設けたものである。
【０００８】
以上の構成を樹脂性のカバー10で覆って錆の防止、小片の侵入による作動不良を防止する。ただし、ロック部材６の操作片63の移動するスリット、タングプレート挿入口４は開いており、また操作片63も両外側へ突出しているが、操作片63の移動個所のカバー10は抉られておりカバー10の両端より出るものではない。
【０００９】
図２は本願バックルの分解斜視図であり、組立順序は、本体２の軸23にスペーサー24を嵌入し、固定軸22にロック部材６を対象にして回動自在に嵌合する。次に、案内板25を同じく軸23，固定軸22に嵌入する。さらにバネ５を固定軸22に嵌入してバネ端を本体枠とロック部材６のバネ当接片64とに当接配置する。そしてワッシャを固定軸22に嵌入しカシメる。次に、案内板25上にバネ７、当接材８、ストッパー９を順次配置し、軸23にワッシャを嵌入しカシメる。その後、カバー10を被せて本体にビス止めして組立完了となるものである。
【００１０】
本願ワンタッチバックルを使用するには、タングプレート３をタングプレート挿入口４より押し入れれば当接材８が摺動すると共に、当接材８に重合しているストッパー９も当接材８に押され後退し、ロック部材６の回動止めを兼用したバネ当接片64の当接が解除され、ロック部材６が回動し、係合突起61がタングプレート３の係合口33に嵌入係合するものであり、操作片63を外方向より内方向へ回動しようとしても重合片部62が側壁32に当接しているため、外れることはない。なお、タングプレート３を挿入していない状態ではロック部材６の回動止めを兼用したバネ当接片64とストッパー９が接触しており、ロック部材６の回動防止するものである。この係合状態を解除するには、タングプレート３を当接材８の弾力に抗して重合片部62の長さ以上に押し込み、係合口33の係合点34と重合片部62の係合が解かれた位置で、操作片63を内側へ押さえれば、タングプレート３の抜脱が可能となると共に、当接材８は、バネ７の附勢によって前進し、それと共にストッパー９も移動して、ストッパー９後部がロック部材６間に位置し、再びロック部材６の回動を防止するものである。
【００１１】
【発明の効果】
以上のように本願は、連結が容易で、連結中に予期せぬ離脱がなく、しかも連結解除時にも簡単な操作で分離ができるバックルを得ることができるものである。
また、本願のタングプレート３の係合口33の係合点34は、ロック部材６の回動中心点よりタングプレート挿入口方向の平行線上の同一線上に配置し、引張時にロック部材６にモーメントが加わらない構造のため、構造を簡単にして軽量にすることができると共に、ロック部材６が変形せず高荷重に耐える構造である。
【図面の簡単な説明】
【図１】本願バックルの正面図。
【図２】図１のバックルの分解斜視図。
【図３】図１のバックルのＡ−Ａ断面図。
【図４】図３のバックルのＢ−Ｂ断面図。
【図５】図４のバックルのＣ−Ｃ断面図。
【図６】タングとバックル本体が結合したところのカバーを外した正面図。
【図７】タングとバックル本体が結合したところのカバーを外した底面図。
【図８】図７のバックルのＤ−Ｄ断面図。
【符号の説明】
１  ベルト
２  本体
３  タングプレート
４  タングプレート挿入口
５  バネ
６  ロック部材
７  バネ
８  当接材
９  ストッパー
10  ケース
21  ベルト挿通孔
22  固定軸
23  軸
24  スペーサー
25  案内板
31  ベルト挿通孔
32  側壁
33  係合口
34  係合点
61  係合突起
62  重合片部
63  操作片
64  バネ当接片
【図１】
0003730088.tif 000002
【図２】
0003730088.tif 000003
【図３】
0003730088.tif 000004
【図４】
0003730088.tif 000005
【図５】
0003730088.tif 000006
【図６】
0003730088.tif 000007
【図７】
0003730088.tif 000008
【図８】
0003730088.tif 000009